(57)【要約】【課題】施肥ホッパ下部の肥料排出口を開閉するシャッターと、該シャッターを案内するガイド部とを備えた施肥機において、シャッターの構造を改良して、シャッターの操作性の向上を図ることを課題とする。【解決手段】排出口４２ｂを囲う施肥ホッパ４２下端部は、その左右両側部の後半部が左右内方向へ突設されて、この上ガイド部４２ｈ・４２ｈとシャッターガイド６３の左右の下ガイド部６３ａ・６３ａの上面との間に凹部空間が形成され、該凹部空間をシャッター６２が摺動できる。この上ガイド部４２ｈ・４２ｈは、連通口６３ｂ（排出口４２ｂ）周囲のシャッター６２の挿入方向手前側から前後中途部にかけて前後水平方向に形成されており、下ガイド部６３ａ・６３ａ上にシャッター６２を摺動可能に挿入する。【選択図】　　　　図７
2004141099.tif 000002
【特許請求の範囲】
【請求項１】
施肥ホッパ下部の肥料排出口を開閉するシャッターと、該シャッターの摺動を案内するガイド部とを備えた施肥機において、
前記シャッターのガイド部を、肥料排出口周囲のシャッター挿入方向手前側から中途部までに形成したことを特徴とする施肥機。
【請求項２】
施肥ホッパ下部の肥料排出口を開閉するシャッターと、該シャッターの摺動を案内するガイド部とを備えた施肥機において、前記肥料排出口内面のシャッターの挿入方向奥側に傾斜部を形成し、該傾斜部下端からシャッターの挿入方向手前側へ向けて支持部材を突設し、シャッターを完全に閉じたときに、該シャッターの先端部が前記傾斜部下端との間に隙間を有し支持部材上に位置することを特徴とする施肥機。
【発明の詳細な説明】
【０００１】
【発明の属する技術分野】
本発明は、田植機に搭載し、植え付けと同時に施肥を行なう施肥機に関し、詳しくは、施肥ホッパ下端部の肥料排出口を開閉するシャッターの構成に関する。
【０００２】
【従来の技術】
従来より、苗載台後方に施肥機を搭載して、植え付け作業と同時に施肥作業を行う乗用型田植機が知られている。施肥機は施肥ホッパと、その下部に位置する肥料繰出ケースと、該肥料繰出ケースに接続された施肥用ホースとを具備し、施肥用ホース先端に設けた側条作溝器より泥土層に施肥するように構成されている。
また、施肥ホッパの下端部には肥料排出口を開閉するシャッターが設けられ、具体的には、本願と同じ出願人により特願２００２−１４７９６５号で開示されている。
【０００３】
【特許文献１】
特願２００２−１４７９６５号
【０００４】
【発明が解決しようとする課題】
ところで、このシャッターの摺動を案内するガイド部に、肥料の粒や粉等が入り込むことがあり、該肥料の粒や粉等によりシャッターの摺動が妨げられ、シャッターを抜き差しし難くなることがあった。
また、シャッターを奥まで差し込んで完全に閉じたときに、該シャッターの先端部と、施肥ホッパーの下端部との間で肥料の粒が挟まれて粉砕され、肥料の粉状物が施肥ホッパーの下端部の肥料排出口周囲に溜まることがあった。この肥料の粉状物があると、シャッターが閉まり難くなり、シャッターを完全に閉じることができなくなるという事態も発生する。
そこで、本発明では、これらの点を鑑み、シャッターの構成を改良して、より操作性の良いシャッターを具備した施肥機を提供することを課題とする。
【０００５】
【課題を解決するための手段】
本発明の解決しようとする課題は以上の如くであり、次にこの課題を解決するための手段を説明する。
まず、請求項１に記載のように、施肥ホッパ下部の肥料排出口を開閉するシャッターと、該シャッターの摺動を案内するガイド部とを備えた施肥機において、前記シャッターのガイド部を、肥料排出口周囲のシャッター挿入方向手前側から中途部までに形成する。
【０００６】
そして、請求項２に記載のように、施肥ホッパ下部の肥料排出口を開閉するシャッターと、該シャッターの摺動を案内するガイド部とを備えた施肥機において、前記肥料排出口内面のシャッターの挿入方向奥側に傾斜部を形成し、該傾斜部下端からシャッターの挿入方向手前側へ向けて支持部材を突設し、シャッターを完全に閉じたときに、該シャッターの先端部が前記傾斜部下端との間に隙間を有し支持部材上に位置するように構成する。
【０００７】
【発明の実施の形態】
以下に、本発明の実施の一形態を、図面を参照しながら説明する。
図１は施肥機４０を搭載した乗用田植機の全体側面図、図２は施肥機４０の側面図、図３は同じく後面図、図４は同じく平面図、図５は繰出装置４１の側面図、図６は同じく後面図、図７は施肥ホッパ４２下部の後面断面図、図８は同じく平面図、図９はシャッター６２及びシャッターガイド６３の正面断面図、図１０はシャッター６２を閉じた状態での施肥ホッパ４２下部前側の後面断面図、図１１はシャッター６２を閉じた状態での施肥ホッパ４２下部後側の後面断面図、図１２はこし網９２を装着した状態での施肥ホッパ４２下部の平面図、図１３は同じく側面断面図、図１４は施肥装置４１の動力伝達装置の後面図、図１５は施肥装置４１の動力伝達装置の操作部の後面図、図１６は同じく側面図、図１７は駆動ロッド７２に取り付けたボルト７４の底面図、図１８は回り止めプレート８８の平面図、図１９は回り止めプレート８８をカウンターアーム７３の内側に当接させた状態の図、図２０は回り止めプレート８８をカウンターアーム７３の内側に当接させた状態の図である。
【０００８】
まず、施肥機４０を搭載した乗用田植機の全体構成について説明する。
図１、図２に示すように、乗用田植機は走行部１の後部に昇降リンク機構２７を介して植付部１５が配置され、該走行部１は機体フレーム３前部上方にエンジン２を搭載し、前下部にフロントアクスルケースを介して前輪６を支持させるとともに、後部にリアアクスルケースを介して後輪８を支持している。エンジン２はボンネット９に覆われ、該ボンネット９上部には燃料タンク４が設けられて、該燃料タンク４の後部には操向ハンドル７が配置されている。操向ハンドル７の下部左右両側方に主変速レバー、副変速レバー、アクセルレバー及び操作パネル等が具備される操作部１１が集中配置されている。また、走行部１の機体フレーム３を覆う機体カバー１２は、ボンネット９後部から座席１３前部に渡ってメインステップ１０を形成し、該メインステップ１０後部では高く盛り上がってその上に座席１３が設けられている。メインステップ１０の前方であってボンネット９の左右両側に、前部ステップ９ａがボンネット９と一体的に形成されていて、該前部ステップ９ａとメインステップ１０の間にはクラッチペダル及びブレーキレペダル等が配設されている。
【０００９】
前記植付部１５は、４条植えとした苗載台１６や複数の植付爪１７やセンターフロート３４やサイドフロート３５等から構成されており、前記苗載台１６は前高後低に配設して、苗載台１６の下部は下ガイドレール１８、前面の上部は上ガイドレール１９によって左右往復摺動自在に支持し、クランク式の植付爪１７を植付伝動フレーム２１の後部に配設している。したがって、前輪６及び後輪８を走行駆動して移動させるとともに、左右に往復摺動可能な苗載台１６から１株分の苗を植付爪１７によって取り出し、連続的に植え付け作業が行えるようになっている。
【００１０】
植付伝動フレーム２１の前部にはローリング支点軸２２を介してヒッチ２４が設けられ、そのヒッチ２４は、ヒッチ２４の上部左右両側に枢支されているトップリンク２５と、ヒッチ２４の下部左右両側に枢支されているロワーリンク２６とを含む昇降リンク機構２７を介して走行部１の後部に連結されている。前記ロワーリンク２６の前端部内側面にはリフトアーム３７の基部が固設されており、このリフトアーム３７をロワーリンク２６の配設方向に対して略直交する上方向に突設している。昇降リンク機構２７を昇降駆動させる昇降シリンダー２０がこのロワーリンク２６に連結したリフトアーム３７に連結している。
【００１１】
また、前記リフトアーム３７の上端部とロワーリンク２６の後端部との間には補強リンク１４が連結されており、ロワーリンク２６の剛性を高めるようにしている。前記トップリンク２５及びロワーリンク２６の前端部は、後部連結フレーム４４間に横設された枢支ピンを介して枢支されており、この後部連結フレーム４４が昇降リンク機構２７の支持部として兼用されている。この昇降リンク機構２７によって植付部１５を昇降させる平行リンクが形成されており、圃場の凹凸に合わせて昇降させても、植付けられた苗の植付け姿勢が変わらないようにしている。
【００１２】
次に、施肥機４０について説明する。
施肥機４０は、苗マット載置面に対向して配置される。すなわち、図２、図３に示す如く、施肥機４０は支持フレーム４３に固定されて苗載台１５の各条の左右中央上方に配置される。該支持フレーム４３は基部フレーム４３ａと支持柱４３ｂと横フレーム４３ｃから構成されている。基部フレーム４３ａは前記植付伝動フレーム２１の後部に固定されて立設され、該基部フレーム４３ａに支持柱４３ｂの下端が固設され、該支持柱４３ｂの上端に縦フレーム４３ｄを介して横フレーム４３ｃ・４３ｃが後面視で左右水平方向に横設されている。
【００１３】
図４に示すように、前記横フレーム４３ｃは、平面視で左右水平方向に二本前後平行に配列されている。該横フレーム４３ｃは側面視略逆Ｌ字状に構成されており、その水平面部下に、繰出ケース４７に固設されるプレート４７ｄが固定され、横フレーム４３ｃと横フレーム４３ｃの間に架設されている。そして、このように支持フレーム４３ｃ・４３ｃに固定される繰出ケース４７内に、繰出ロール４５を収容し、該繰出ロール４５の回転により一定量の肥料を繰り出す構成としている。図２に示すように、繰出ケース４７の下部には施肥ホース４６が連通され、該施肥ホース４６の下端は作溝器３８の後部に延設された作溝ガイド３９に連通している。該作溝器３８は前記植付爪１７により植え付けられる位置の側方の前に配置され、サイドフロート３５及びセンターフロート３４の裏面に固定されている。
【００１４】
上述の如く配設された施肥機４０は、繰出装置４１と、該繰出装置４１上に載置される施肥ホッパ４２と、繰出装置４１の下部に連通される施肥ホース４６から構成されている。
【００１５】
図５、図６に示すように、繰出装置４１は、繰出ケース４７内の中央に繰出回転体である繰出ロール４５が内装されており、繰出ロール４５の側端部は繰出ケース４７により回転自在に枢支され、該繰出ロール４５の左右両側端部を延出して後述する爪部４５ａを形成して、条止め用のクラッチである爪クラッチ５１を介して駆動軸４８と連結可能に構成している。該繰出ロール４５への動力伝達構成は前記植付爪１７の回動をリンク機構６９を介して伝達される。
【００１６】
図３に示すように、繰出装置４１の上部には施肥ホッパ４２が分離（着脱）可能に連通接続されている。施肥ホッパ４２の両側部にはフック６４・６４が枢支され、一方、繰出ケース４７の側面の係合部を係合することによって繰出装置４１と施肥ホッパ４２を固定でき、係合を解除することによって施肥ホッパ４２を外すことができ、肥料の補給やメンテナンス等を容易にできるようにしている。
【００１７】
図７に示すように、施肥ホッパ４２の下端部には、シャッターガイド６３が着脱自在に取り付けられ、該シャッターガイド６３と、施肥ホッパ４２の下端部との間にシャッター６２が前後スライド自在に挿入されている。施肥ホッパ４２の底面には肥料の排出口４２ｂ・４２ｂが開口されており、シャッターガイド６３は左右のフレーム６３Ｓ・６３Ｓと前後のフレーム６３Ｆ・６３Ｂとで、平面視「口」字型に構成され、その中央には連通口６３ｂが形成されて（図８参照）、該排出口４２ｂの下方に該連通口６３ｂが配置されて、シャッターガイド６３が施肥ホッパ４２に取り付けられている。また、施肥ホッパ４２の下部には、シャッターガイド６３の上方に、こし網９２が着脱自在に取り付けられている。
【００１８】
次に、このシャッター６２及びシャッターガイド６３について説明する。
図８、図９に示すように、排出口４２ｂを囲う施肥ホッパ４２下端部は、その左右両側部の後半部が左右内方向へ突設されて上ガイド部４２ｈ・４２ｈを構成し、該上ガイド部４２ｈ・４２ｈの配設位置の下方に位置するシャッターガイド６３の左右のフレーム６３Ｓ・６３Ｓの上面に下ガイド部６３ａ・６３ａが形成され、該上ガイド部４２ｈ・４２ｈと下ガイド部６３ａ・６３ａとによりそれぞれ後面断面視で凹部状空間が形成されている。この上ガイド部４２ｈ・４２ｈａは、連通口６３ｂ（排出口４２ｂ）周囲のシャッター６２の挿入方向手前側から前後中途部にかけて前後水平方向に形成されており、下ガイド部６３ａ・６３ａは排出口４２ｂの前後幅にわたって形成されている。シャッター６２の左右両端部が上ガイド部４２ｈ・４２ｈａと下ガイド部６３ａ・６３ａからなるガイド部に摺動可能に挿入されている。該下ガイド部６３ａ・６３ａの前方では、シャッター６２の左右両側部の下面のみが左右のフレーム６３Ｓ・６３Ｓの上面で案内される構成となり、シャッター６２を閉じた状態では、該下ガイド部６３ａ・６３ａによって支持され、排出口４２ｂ周囲はシャッターガイド６３（または施肥ホッパ４２）上面とシャッター６２縁部の下面により殆ど隙間がない構成としている。
【００１９】
このシャッターガイド６３の下ガイド部６３ａ・６３ａと上ガイド部４２ｈ・４２ｈａの間には肥料の粒や粉等が入り込むことがあり、この入り込んだ肥料の粒や粉等は、シャッター６２を奥へ押し込むことでシャッター６２の前端面により押し出され、ガイドがなくなる上ガイド部４２ｈ・４２ｈａの前端から抜け出すようになっている。
このような構成で、シャッターガイド６３の下ガイド部６３ａ・６３ａ上の肥料の粒や粉等によって、シャッター６２の摺動が妨げられ、シャッター６２を正確に奥まで挿し込めないということもなくなり、シャッター６２を容易に抜き差しすることができるようになり、シャッター６２の操作性が向上する。
【００２０】
また、図７に示すように、シャッター６２の前端部と後端部の左右略中央には、軸心を上下方向に向けてボルト９５・９６が螺入されている。ボルト９５・９６の胴体はシャッター６２の下方に突出しており、シャッターガイド６３に対してシャッター６２を内方向（前方）へスライドさせたときに、該ボルト９６の胴体がシャッターガイド６３の後フレーム６３Ｂの外側面（後面）に当接することで、シャッター６２の内方向へのスライドが規制されるように構成されている。
【００２１】
逆に、シャッターガイド６３に対してシャッター６２を外方向（後方）へスライドさせたときに、該ボルト９５の頭部が施肥ホッパ４２下端面後部の孔部に嵌ることで、シャッター６２の外方向へのスライドが規制され、シャッター６２がシャッターガイド６３から抜け落ちないように構成されている。
このようにボルト９５・９６はストッパとして機能しているが、ボルト９５・９６の代わりにピン等の突起が構成できるものであれば限定するものではない。
【００２２】
前記排出口４２ｂを囲う施肥ホッパ４２の下端部において、その内面前端部（シャッター６２の先端前方）には傾斜部４２ｄが形成されており、該傾斜部４２ｄの下端が前フレーム６３Ｆ上に載置されている。前フレーム６３Ｆの後部は傾斜部４２ｄの下端から後方へ突出していて、該前フレーム６３Ｆの上面は、シャッター６２を支持する支持部材として構成され、シャッター６２をボルト９６による規制位置まで押し込んで完全に閉めたときに、シャッター６２の先端部が前記傾斜部４２ｄ下端との間に隙間を有し支持部材上に位置するようにしている。つまり、図１０に示すように、該シャッター６２の先端部（前端部）が該前フレーム６３Ｆの上面後端部に僅かに乗り上げるようになっており、該シャッター６２の先端部と該傾斜部４２ｄとの間には幾分間隙が形成される。つまり、シャッター６２の先端部と施肥ホッパ４２内面またはシャッターガイド６３内面とは当接しない構造としている。
【００２３】
このようにシャッター６２の先端部と前フレーム６３Ｆの上面後端部とのラップ代が極短く設けられており、シャッター６２の先端部によって前フレーム６３Ｆ上面に残存する肥料の粒９８は僅かに押しやられるだけで、該肥料の粒９８が抵抗となって、シャッター６２の摺動が妨げられることはない。従って、シャッター６２は容易に閉まり、且つ、シャッター６２により連通口６３ｂ（排出口４２ｂ）は確実に密閉される。
【００２４】
また、シャッター６２を完全に閉めたときにも、該シャッター６２の先端部と傾斜部４２ｄとの間に間隙が形成されているため、該シャッター６２の先端部に押しやられた肥料の粒９８は押し潰されることなく、前フレーム６３Ｆ上を間隙に沿って前方へ移動し、さらには、傾斜部４２ｄに沿って斜上方へ逃げることもできるようになっている。このような構成で、前フレーム６３Ｆ上で肥料が押し潰されてその粉状物が滞留し、該滞留物によってシャッター４２が閉まり難くなるということもなくなり、メンテナンス性が向上する。
【００２５】
さらに、図７、図１１に示すように、前記排出口４２ｂを囲う施肥ホッパ４２の後端部において、その下面には左右方向に溝部が形成されて、該溝部にゴム製のパッキン９１が嵌め込まれている。なお、このパッキン９１にはゴムに代えて、スポンジ等種々の弾性体を適用することができる。
このパッキン９１の肉厚はシャッター本体６２Ｂの板厚よりも分厚く形成されて、該パッキン９１の底面は施肥ホッパ４２の底面よりも僅かに下方へ突出させており、出代が設けられている。
【００２６】
パッキン９１の底面はシャッターガイド６３に案内されて摺動するシャッター本体６２Ｂの上面に、その摺動を妨げない程度の接圧で密接しており、シャッター６２が容易にはズレたりしないように構成されている。また、パッキン９１の出代によって、施肥ホッパ４２の底面とシャッター本体６２Ｂの上面との間の間隙がシールされて、施肥ホッパ４２内からの漏れが発生しないようになっている。
【００２７】
以上のように、シャッター６２及びシャッターガイド６３が構成されて、シャッター６２を閉じて施肥ホッパ４２内に肥料が入ったままで、施肥ホッパ４２を着脱できるようになっている。
【００２８】
次に、こし網９２について説明する。
図１２に示すように、こし網９２は合成樹脂等の弾性部材により平面視、略格子状に形成されており、施肥ホッパ４２下部の内周面に着脱自在に取り付けられている。このこし網９２は繰出ロール４５へ落下する肥料の粒を篩い、該繰出ロール４５へ大きな肥料の塊が入り込むと、詰まりの原因となることから、こし網９２の網目から該網目よりも大きな肥料の粒が下方へ落下しないように構成されている。
【００２９】
施肥ホッパ４２下部における前記排出口４２ｂの若干上方の内周面の前後（または左右）両側部には、複数の突起部４２ｆ・４２ｆ・・・が突設されており、該突起部４２ｆにはこし網９２の一つの桟の大きさに合わせた前後外方向へ窪む係合部４２ｇが凹設されている。こし網９２を施肥ホッパ４２下部に取り付けるには、こし網９２を撓ませて、その前後両側端部を係合部４２ｇ・４２ｇ・・・にワンタッチで嵌め込む。取り付けられたこし網９２は係合部４２ｇ・４２ｇ・・・に保持されて容易には外れず、このこし網９２を外すときには、該こし網９２を撓ませてワンタッチで外せるようになっている。
【００３０】
このようにこし網９２は施肥ホッパ４２の下部に簡単に着脱できようになっており、取り付けられたこし網９２はしっかりと固定される。従って、施肥ホッパ４２に衝撃が加わっても、該施肥ホッパ４２に取り付けられたこし網９２は定位置からズレることはない。また、シャッター６２を閉じて施肥機４０本体から施肥ホッパ４２を取り外して運ぶときに、施肥ホッパ４２が傾くことがあるが、このようなときも、施肥ホッパ４２に取り付けられたこし網９２は定位置からズレない。
【００３１】
このように施肥ホッパ４２に取り付けられたこし網９２はしっかりと固定されて位置ズレすることはなく、施肥ホッパ４２に衝撃が加わったり、施肥ホッパ４２が傾いたりしても、こし網９２の網目から該網目よりも大きな肥料の粒が下方へ落下することはないように構成されている。
【００３２】
次に、施肥機４０の動力伝達機構の構成について説明する。
図２、図６に示すように、植付伝動フレーム２１の後部の側面に動力取出軸７０が突出され、該動力取出軸７０にクランクアーム６７を固設し、該クランクアーム６７の先端に植付アーム６８の中途部を連結し、該植付アーム６８の一端（前端）に植付爪１７を取り付けて他端（後部）に揺動アーム７６の一端を枢結している。該揺動アーム７６の他端を支点軸７７に枢支して、該支点軸７７を植付伝動フレーム２１後端より上方へ突設したアーム７１後端に固設し、揺動アーム７６よりリンク機構６９を介して駆動軸４８に動力が伝達される。リンク機構６９は前記揺動アーム７６に固設される駆動アーム８３、駆動ロッド７２、カウンターアーム７３、連結リンク８０、揺動アーム８１よりなり、前記揺動アーム７６に駆動アーム８３が固定され、該駆動アーム８３に駆動ロッド７２が枢支されている。なお、駆動ロッド７２は長さは調節可能に構成されている。
【００３３】
図１４、図１５に示すように、駆動ロッド７２の他端のカウンターアーム７３との連結部においては、被締付部材となるボルト７４の頭部７４ａ側が回転自在に枢支され、該頭部７４ａにはリンクボール等を設けて回転自在に支持できるようにしている。ボルト７４の頭部７４ａと反対側のネジ部７４ｂが座金７５、カウンターアーム７３に形成した長孔７３ａ、インジケータ８７、座金７５と挿通して、端部は締付部材となる固定レバー７８に固定されたナット７８ａによって螺装して締め付け固定できるようにしている。
【００３４】
図１６に示すように、カウンターアーム７３の中途部には孔７３ｄが開口されて、該孔７３ｄに前記支持フレーム４３より突設した支点軸７９が挿入されて回転自在に枢支され、該カウンターアーム７３の他端には複数の枢支孔７３ｂ・７３ｃ（本実施例では二つ）が開口され、該枢支孔７３ｂ・７３ｃのいずれかに連結リンク８０の一端が枢支され、該連結リンク８０の他端は揺動アーム８１に枢支されている。該揺動アーム８１はワンウェイクラッチ８２を介して前記駆動軸４８に連結され、該駆動軸４８が爪クラッチ５１（図６参照）を介して繰出ロール４５と連結可能に構成されている。
【００３５】
このような構成において、図２に示すように、動力取出軸７０に伝達された動力がクランクアーム６７を介して植付アーム６８を回動し、該植付アーム６８後部と連結している揺動アーム７６を揺動させると、該揺動アーム７６に取り付けられた駆動アーム８３が揺動し、この揺動が駆動ロッド７２を上下方向に往復動し、この往復動がカウンターアーム７３を支点軸７９を中心にシーソーの如く揺動し、連結リンク８０を介して揺動アーム８１を上下方向に揺動する。そして、この揺動アーム８１の揺動によってワンウェイクラッチ８２を介して駆動軸４８が一方向に間欠回転駆動され、爪クラッチ５１を「入」状態にすると、繰出ロール４５が回転され、一定量ずつ肥料が繰り出されて施肥ホース４６より落下されるのである。
【００３６】
図３に示すように、前記爪クラッチ５１は駆動軸４８上の端部に設けられて、前記繰出ロール４５に連接するように設けられている。図６、図１４に示す如く、該爪クラッチ５１により繰出ロール４５の駆動を断接するようにしている。該繰出ロール４５の左右一端部（爪クラッチ５１側端部）には爪部４５ａと、溝４５ｂが形成され、また、爪クラッチ５１の繰出ロール４５側端部に、爪部５１ａと、溝５１ｂとが形成されている。該爪部５１ａと溝５１ｂは、前記爪部４５ａ及び溝４５ｂに対向するように、円環上で略９０度毎に配置されており、前記爪部４５ａを溝５１ｂに、爪部５１ａを溝４５ｂに嵌入させることで動力を伝達させるようにしている。
【００３７】
また、繰出ロール４５の左右他端部（反爪クラッチ５１側端部）には爪部４５ｄと、溝４５ｅが形成されており、前記爪部４５ａと、溝４５ｂと同様に、該爪部４５ｄと、溝４５ｅも円環上で略９０度毎に配置されて、該爪部４５ｄと、溝４５ｅにロール回動ハンドル５６を着脱自在に取り付けることができるようになっている。
【００３８】
ロール回動ハンドル５６は把手部５６ａと係合部５６ｂとを備え、該係合部５６ｂには、爪部５６ｄと、溝５６ｅとが形成されている。該爪部５６ｄと、溝５６ｅとは、前記繰出ロール４５の爪部４５ｄと、溝４５ｅとに対応させて、円環上で略９０度毎に配置されており、該爪部５６ｄを溝４５ｅに、該溝５６ｅを爪部４５ｄに挿着できるようになっている。
【００３９】
このロール回動ハンドル５６は、施肥作業の終了後に繰出ロール内４５に残る肥料を排出する際や、繰出ロール４５内のロール溝を掃除する等メンテナンスする際に用いられ、作業者はロール回動ハンドル５６の爪部５６ｄと溝５６ｅを、繰出ロール４５の溝４５ｅと爪部４５ｄに取り付けて、手動で把手部５６ａを回わすことで、繰出ロール４５内の肥料が繰り出されるように構成されている。このロール回動ハンドル５６によれば、繰出ロール４５のロールの手回しが簡単にできて、繰出ロール４５内に残る肥料を手動で容易に排出することができ、メンテナンス性が向上する。
【００４０】
また、条止め用のクラッチである爪クラッチ５１を「切」にしておけば、１条単位で繰出ロール４５内の肥料を排出することもできる。まず、作業者は施肥ホース４６と繰出ケース４７との嵌合を外して、何れか一つの繰出ケース４７の下方にバケツ等の収容器を置いておき、該繰出ケース４７側の繰出ロール４５の爪部４５ｄと溝４５ｅに、ロール回動ハンドル５６の溝５６ｅと爪部５６ｄを取り付ける。このとき、該繰出ロール４５の側方の爪クラッチ５１は切っておき、該爪クラッチ５１及び駆動軸４８を介して隣の繰出ロール４５のロールに回転動力が伝達されないようにしておく。この上で、作業者は、ロール回動ハンドルの把手部５６ａを手動で回わして、該繰出ロール４５内の肥料を収容器に排出する。このような構成で、１条単位で繰出ロール４５のロールを回動させることができるようになっている。
【００４１】
図１６に示すように、カウンターアーム７３に長孔７３ａを支点軸７９に対して半径方向に開口し、駆動ロッド７２の一端（上端）を長孔７３ａに沿って摺動可能に配置して、無段階にリンク比を変更可能としている。さらに、前記ボルト７４の頭部７４ａには頭部の７４ａの形状に合わせた孔部８８ａを有する回り止めプレート８８が外嵌され、該回り止めプレート８８を後面視逆Ｌ字状に構成したカウンターアーム７３の内側に当接することによりボルト７４が締付時に回らない構成としている。また、前記インジケータ８７は後面視逆Ｌ字状に構成して、カウンターアーム７３の外側を摺動できるように構成して、該カウンターアーム７３の上面に目盛を刻設することで、リンク比を変更するときに、ボルト７４とともにインジケータ８７も摺動して、変更位置の目安となるようにしている。
【００４２】
また、前記固定レバー７８はナット７８ａを固定した基部より把手部７８ｂが突出して延出されており、該把手部７８ｂを持って回動することにより大きな力を必要とせず、かつ、工具も必要とせず容易に締め付けたり、弛めたりできるようにしている。そして、該把手部７８ｂは、締付固定時において、カウンターアーム７３と連結ロッド７２の連結部における揺動（回動）軌跡方向（または接線方向）に位置するように構成している。すなわち、固定レバー７８を締め付けたときの位置が、該固定レバー７８の長手方向がカウンターアーム７２先端の回動（揺動）軌跡（または接線方向）に略位置するように、前記回り止めプレート８８をカウンターアーム７３に取り付けるのである。本実施例では、回動軌跡に対して接線方向としているため、カウンターアーム７３に対して直角方向に固定レバー７８が配置されている。
【００４３】
また、固定レバー７８の向きはカウンターアーム７３に対して前後方向に３０°単位で変更可能である。図１７に示すように、駆動ロッド７２の他端のボルト７４の頭部７４ａは正六角形に形成されており、また、図１８に示すように、回り止めプレート８８の孔部８８ａはボルト７４の頭部７４ａの形状に合わせて正六角形に形成されている。
【００４４】
そして、図１９に示すように、この回り止めプレート８８を後面視逆Ｌ字状に構成したカウンターアーム７３の内側に当接させて配置し、該回り止めプレート８８の孔部８８ａに該ボルト７４の頭部７４ａが嵌め込まれる。この回り止めプレート８８の孔部８８ａにボルト７４の頭部７４ａとは、ともに正六角形であることから、該孔部８８ａに対して該頭部７４ａを６０°ずつ回しても取り付けることができ、すなわち、該ボルト７４のネジ部７４ｂに取り付けられる固定レバー７８の向きを該孔部８８ａと該頭部７４ａとの嵌合部を中心に、６０°単位で変更することができる。
【００４５】
さらに、図２０に示すように、回り止めプレート８８は前後方向に９０°回転させて、横に寝かせてカウンターアーム７３の内側に当接させて配置することもでき、この回り止めプレート８８の配置構成では、図１９に示す回り止めプレート８８の配置構成に対して、該回り止めプレート８８の正六角形の孔部８８ａの各頂点位置が前後方向に３０°回転した状態となる。
【００４６】
図２０に示すように、カウンターアーム７３の内側に回り止めプレート８８を配置した場合も、回り止めプレート８８の孔部８８ａに対してボルト７４の頭部７４ａを６０°ずつ回しても取り付けることができ、すなわち、該ボルト７４のネジ部７４ｂに取り付けられる固定レバー７８の向きを該孔部８８ａと該頭部７４ａとの嵌合部を中心に、６０°単位で変更することができる。
【００４７】
従って、図１９に示す回り止めプレート８８の配置構成と、図２０に示す回り止めプレート８８の配置構成との組み合わせで、固定レバー７８の向きを回り止めプレート８８の孔部８８ａとボルト７４の頭部７４ａとの嵌合部を中心に、３０°単位で変更することができ、固定レバー７８を作業者の操作のし易い位置に配置することができ、操作性が向上する。
【００４８】
以上のような構成において、肥料の繰出量を変更する場合には前記カウンターアーム７３と駆動ロッド７２の接続位置を変更することによって調節する。すなわち、固定レバー７８を回動して弛めて、該駆動ロッド７２の固定位置を変更してリンク比を変更し、駆動軸４８の回転数を変更して繰出量を調節する。
従って、前記動力伝達装置６９のリンク比は無段階での変更が可能となっている。また、前記駆動ロッド７２を固定位置から取り外さずにリンク比の変更が可能となっており、従来よりも短時間での肥料の繰出量の調節が可能である。
【００４９】
また、前記カウンターアーム７３と前記連結リンク８０の接続は、該カウンターアーム７３に設けられた孔７３ｂ、孔７３ｃのいずれか一方を選択して行うことで該カウンターアーム７３の長さを調節することが可能であるから、前記駆動ロッド７２の接続位置変さらによる揺動アームの長さ調節との併用により、該カウンターアーム７３の長さ調節範囲を拡大することが可能である。
【００５０】
【発明の効果】
本発明は、以上のように構成したので、次のような効果を奏する。
まず、請求項１に記載の発明では、シャッターのガイド部を、肥料排出口周囲のシャッター挿入方向手前側から中途部までに形成したことで、該ガイド部に入り込んだ肥料の粒や粉等は、シャッターを奥へ押し込むことで、該ガイド部の先端から抜け出て肥料排出口へと排出される。
このような構成で、ガイド部内の肥料の粒や粉等により、シャッターの摺動が妨げられ、シャッターを精確に奥まで挿し込めないということもなくなり、シャッターを容易に抜き差しすることができるようになって、シャッターの操作性が良くなる。
【００５１】
そして、請求項２に記載の発明では、シャッターを完全に閉じたときにも、支持部材上に残る肥料の粒は、押し潰されることはなく、シャッターの先端部により、支持部材上でシャッター挿入方向奥側へ押しやられ、あるいは傾斜部に沿って斜上方へ押し上げられる。
このような構成で、支持部材上で肥料が押し潰されてその粉状物が滞留し、該滞留物によってシャッターが閉まり難くなるということもなくなり、メンテナンス性が向上する。
【図面の簡単な説明】
【図１】施肥機４０を搭載した乗用田植機の全体側面図。
【図２】施肥機４０の側面図。
【図３】同じく後面図。
【図４】同じく平面図。
【図５】繰出装置４１の側面図。
【図６】同じく後面図。
【図７】施肥ホッパ４２下部の後面断面図。
【図８】同じく平面図。
【図９】シャッター６２及びシャッターガイド６３の正面断面図。
【図１０】シャッター６２を閉じた状態での施肥ホッパ４２下部前側の後面断面図。
【図１１】シャッター６２を閉じた状態での施肥ホッパ４２下部後側の後面断面図。
【図１２】こし網９２を装着した状態での施肥ホッパ４２下部の平面図。
【図１３】同じく側面断面図。
【図１４】施肥装置４１の動力伝達装置の後面図。
【図１５】施肥装置４１の動力伝達装置の操作部の後面図。
【図１６】同じく側面図。
【図１７】駆動ロッド７２に取り付けたボルト７４の底面図。
【図１８】回り止めプレート８８の平面図。
【図１９】回り止めプレート８８をカウンターアーム７３の内側に当接させた状態の図。
【図２０】回り止めプレート８８をカウンターアーム７３の内側に当接させた状態の図。
【符号の説明】
１　　走行部
３　　機体フレーム
１５　　植付部
４０　　施肥機
４１　　繰出装置
４２　　施肥ホッパ
４２ｂ　投入口
４２ｄ　傾斜部
４２ｈ　上ガイド部
４５　　繰出ロール
４６　　施肥ホース
４８　　駆動軸
６２　　シャッター
６３　　シャッターガイド
６３ａ　下ガイド部
６３ｂ　連通口
【図１】
2004141099.tif 000003
【図２】
2004141099.tif 000004
【図３】
2004141099.tif 000005
【図４】
2004141099.tif 000006
【図５】
2004141099.tif 000007
【図６】
2004141099.tif 000008
【図７】
2004141099.tif 000009
【図８】
2004141099.tif 000010
【図９】
2004141099.tif 000011
【図１０】
2004141099.tif 000012
【図１１】
2004141099.tif 000013
【図１２】
2004141099.tif 000014
【図１３】
2004141099.tif 000015
【図１４】
2004141099.tif 000016
【図１５】
2004141099.tif 000017
【図１６】
2004141099.tif 000018
【図１７】
2004141099.tif 000019
【図１８】
2004141099.tif 000020
【図１９】
2004141099.tif 000021
【図２０】
2004141099.tif 000022